(57)【要約】【課題】運動機能を備えた座椅子を提供することを目的とする。【解決手段】座椅子Ａは、底部に座受け部１１及び上部に座面１２を有する座体１０と、座体１０の後ろ側に連結されて縦向きに伸びた形態の背もたれ２０と、座体１０の相対した両側に縦向き揺れ動き可能に設けられた二つの揺動可能ラック３０と、揺動可能ラック３０の揺れ動きに弾力のある抵抗と復位機能を持たせる抵抗付与部品４０とを有する。  二つの揺動可能ラック３０は、基部が支持側３１で、先端が延長状の揺れ動き側３２である。揺れ動き側３２は、相対して内側へ横向きに伸びた横架部３３を有する。使用者は足や手を横架部３３に押し当て抵抗付与部品４０を動かしつつ抵抗のある往復運動をする。或いは、使用者は足を横架部３３に下側を通して位置を制限し、腹筋運動を行うことが可能である。【選択図】  図１
0003150364.tif 000002
【実用新案登録請求の範囲】
【請求項１】
座受け部（１１）と座面（１２）を有する座体（１０）と、
前記座体（１０）の後ろ側に連結して縦向きに伸びた形態であり、角度が固定或いは調整可能である背もたれ（２０）と、
前記座体（１０）の相対した両側に、縦向き揺れ動き可能に設けられた二つの揺動可能ラック（３０）と、
前記揺動可能ラック（３０）の揺れ動きに弾力のある抵抗と復位機能を持たせる抵抗付与部品４０とを有し、
前記二つの揺動可能ラック（３０）は、基部が支持側（３１）で、先端が延長状の揺れ動き側（３２）であり、該揺れ動き側（３２）は、相対して内側へ横向きに伸びた軟質筒体製の横架部（３３）を有する、運動機能付き座椅子.
【請求項２】
前記抵抗付与部品（４０）は、気圧棒（４１）であり、
前記気圧棒（４１）の第一端（４１１）は、前記揺動可能ラック（３０）の支持側（３１）より所定距離離れて前記座体（１０）に連結してあり、前記気圧棒（４１）の第二端（４１２）は斜め上に延長して、前記揺動可能ラック（３０）の揺れ動き側（３２）に連結してある、請求項１に記載の運動機能付き座椅子。
【請求項３】
前記揺動可能ラック（３０）の揺れ動き側（３２）には、定位置部（３４、３５、３６）が等間隔で形成してあり、
前記気圧棒（４１）の第二端（４１２）が選択的に異なった定位置部（３４、３５、３６）に連結され、前記揺動可能ラック（３０）の揺れ動き側（３２）が上向きに揺れ動く最大角度が調整される、請求項２に記載の運動機能付き座椅子。
【請求項４】
前記抵抗付与部品（４０）は、座体（１０）の内部に備えてあるスプリングピン装置（５０）であり、
該スプリングピン装置（５０）は、ケース座（５１）と、可動ピン（５２）と、スプリング（５３）と、トルクスプリング（４２）を有し、
前記可動ピン（５２）は、ケース座（５１）の外部に突出した突出ボタン部（５４）を有し、且つ、突出ボタン部（５４）の側に円柱部（５５）を有し、該円柱部（５５）に続いて角柱部（５６）を有する形状であり、該突出ボタン部（５４）の側が、前記揺動可能ラック（３０）の支持側（３１）に形成してある角穴（３１０）を貫通しており、
前記トルクスプリング（４２）は、前記揺動可能ラック（３０）と前記ケース座（５１）との間に位置して、前記可動ピン（５２）に周囲に緩く嵌合してあり、一端側は前記揺動可能ラック（３０）に連結してあり、他端側は前記スプリングピン装置（５０）の前記ケース座（５１）に連結してあり、
前記スプリング（５３）により、前記可動ピン（５２）は前記ケース座（５１）の外部に突き出ており、前記突出ボタン部（５４）が突き出ており、前記角柱部（５６）が前記角穴（３１０）と嵌合して、前記揺動可能ラック（３０）の位置が固定してあり、
前記可動ピン（５２）を内側へ押し付けると、前記角柱部（５６）が前記角穴（３１０）から抜け出して、前記円柱部（５５）が前記角穴（３１０）に嵌合して、前記揺動可能ラック（３０）が揺れ動く状態になる、請求項１に記載の運動機能付き座椅子。
【請求項５】
前記座体（１０）は、その両側に、取っ手（８０）を取り付けてあり、或いは、前記揺動可能ラック（３０）の揺れ動き側（３２）の横架部（３３）に定位置補助部品（７０）が取り付けてある、請求項１に記載の運動機能付き座椅子。
【考案の詳細な説明】
【技術分野】
【０００１】
本考案は座椅子に係り、特に、運動機能付きの座椅子に関する。
【背景技術】
【０００２】
座椅子は、背もたれがあり、座体が直接に床に置かれ、主に和室で使用される椅子であり、木製床や畳み形式採用の住宅内装の場合には、座椅子が、生活の中で広く使用され、生活に密接な家具となっている。
【考案の概要】
【考案が解決しようとする課題】
【０００３】
しかし、座椅子はずっと昔から開発され、長い間の改善や更新などが行われてきたため、外観や造形、質感、絵柄設計など多様な設計が行われてきたが、その構造や機能性から言えば、著しい新規性や進歩性がなく、激しい競争が行われている市場に新しい座椅子商品を発売するとき、使用者に新しいイメージを与えず、又は、付加機能や機能を与えなければ、ライバルを越えて、人々に受け入れられるのが難しくなるだろう。
【０００４】
上述の従来の座椅子構造に存在する問題点について、より理想的で、実用性のあるオリジナルな構造を開発するのが、使用者の望むことであり、関連業者が努力して、研究開発し、突破すべき目標と方向でもある。
【０００５】
これらを鑑みて、発明者は、関連製品の製造や開発設計に携わる長年の経験を持っており、上述の目標について詳しく設計し、慎重に評価したうえ、ようやく実用性のある本考案が完成した。
【０００６】
本考案は、前記課題を解決した、運動機能付きの座椅子を提供することを目的とする。
【課題を解決するための手段】
【０００７】
本考案の運動機能付きの座椅子は、
座受け部１１と座面１２を有する座体１０と、
前記座体１０の後ろ側に連結して縦向きに伸びた形態であり、角度が固定或いは調整可能である背もたれ２０と、
前記座体１０の相対した両側に、縦向き揺れ動き可能に設けられた二つの揺動可能ラック３０と、
前記揺動可能ラック３０の揺れ動きに弾力のある抵抗と復位機能を持たせる抵抗付与部品４０とを有し、
前記二つの揺動可能ラック３０は、基部が支持側３１で、先端が延長状の揺れ動き側３２であり、該揺れ動き側３２は、相対して内側へ横向きに伸びた軟質筒体製の横架部３３を有する構成である。
【考案の効果】
【０００８】
本考案になる座椅子によれば、座椅子に座った人が、手足を横架部３３に当てて押して、揺動可能ラック３０を抵抗付与部品４０に抗して動かすことによって、運動を行なうことが出来るという効果を有する。
【図面の簡単な説明】
【０００９】
【図１】本考案の実施例１になる座椅子の斜視図である。
【図２】図１の座椅子の側面図である。
【図３】気圧棒の第二端を中間の定位置部に連結した場合の座椅子の側面図である。
【図４】気圧棒の第二端を最上方の定位置部に連結した場合の座椅子の側面図である。
【図５】図４に示す状態の座椅子を使用して運動を行なっている状態を示す図である。
【図６】図３に示す状態の座椅子を使用して運動を行なっている状態を示す図である。
【図７】図４に示す状態の座椅子を使用して別の運動を行なっている状態を示す図である。
【図８】本考案の実施例２になる座椅子の一部を示す斜視図である。
【図９】図８中、スプリングピン装置を示す平面図である。
【図１０】突出ボタン部を押したときの状態を示す図である。
【図１１】本考案の実施例３になる運動機能付き座椅子を示す側面図である。
【図１２】本考案の実施例４になる運動機能付き座椅子の一部を示す図である。
【考案を実施するための形態】
【００１０】
以下、本考案の実施の形態について説明する。以下の実施例は説明用に限られ、本考案になる運動機能付き座椅子はこれらの構造に制限されない。
【実施例１】
【００１１】
図１及び図２は本考案の実施例１になる運動機能付き座椅子Ａを示す。
【００１２】
座椅子Ａは、底部に座受け部１１及び上部に座面１２を有する座体１０と、座体１０の後ろ側に連結されて縦向きに伸びた形態の背もたれ２０と、座体１０の相対した両側に縦向き揺れ動き可能に設けられた二つの揺動可能ラック３０と、揺動可能ラック３０の揺れ動きに弾力のある抵抗と復位機能を持たせる抵抗付与部品４０とを有する。
【００１３】
背もたれ２０は、固定角度の構造形態或いは調整可能な傾斜角度の構造形態である。
【００１４】
二つの揺動可能ラック３０は、基部が支持側３１で、先端が延長状の揺れ動き側３２である。揺れ動き側３２は、相対して内側へ横向きに伸びた横架部３３を有する。横架部３３は、例えば、スポンジ、ゴム、発泡材などの軟質筒体で作られた円筒体構造形態である。
【００１５】
抵抗付与部品４０は複数の形態がある。図１、図２に示す抵抗付与部品４０は気圧棒４１である。気圧棒４１の第一端４１１は、揺動可能ラック３０の支持側３１より背もたれ２０の側に寸法Ｌ１離れた部位で、座体１０に連結してある。気圧棒４１の第二端４１２は、揺動可能ラック３０の支持側３１より揺れ動き側３２に寸法Ｌ２離れた部位で、揺動可能ラック３０に連結してある。
【００１６】
揺動可能ラック３０の支持側３１には、定位置孔３４、３５、３６が等間隔で形成してある。
【００１７】
気圧棒４１の第二端４１２は、選択的に、異なった定位置孔３４、３５又は３６に連結される。気圧棒４１の第二端４１２が連結した定位置孔によって、揺動可能ラック３０の揺れ動き側３２が上向きに揺れ動く最大角度が調整可能になる。図２は気圧棒４１の第二端４１２を最下方の定位置孔３４に連結した場合であり、揺動可能ラック３０の揺れ動き側３２は平らに置かれた角度状態となる。図３は気圧棒４１の第二端４１２を中間の定位置部３５に連結した場合であり、揺動可能ラック３０の揺れ動き側３２は中程度の傾斜角度の状態となる。図４は気圧棒４１の第二端４１２を最上方の定位置部３６に連結した場合であり、揺動可能ラック３０の揺れ動き側３２が最大傾斜角度の状態となる。このように、使用者が必要性に応じて、その調整や変化をさせることが可能になる。
【００１８】
図１に示すように、座体１０及び背もたれ２０の内部にはエアバッグ体６０が設けてある。エアバッグ体６０は、ガス充填や作動が可能で、また、使用者のお好みやプログラム設定により自動的に切り替えることが可能であり、その上、各組のガスバッグの作動を単独作動モードにすることも可能である。
【００１９】
次に、上記の構成になる座椅子Ａの使用作動状態について説明する。
【００２０】
座椅子Ａの技術的特徴は、座体１０の両側に揺動可能ラック３０を設け、これを抵抗付与部品４０に組合せて、揺動可能ラック３０の揺れ動きが弾力のある抵抗と復位機能を有することである。
【００２１】
気圧棒４１の第二端４１２が最上方の定位置部３６に連結してある座椅子Ａの構成の使用について説明する。
【００２２】
図５に示すように、使用者が座体１０の上に座ったとき、前記揺動可能ラック３０の揺れ動き側３２を上に上がる角度状態に調整し、それから、両足を揺動可能ラック３０の揺れ動き側３２にある横架部３３に押し当てて、両足による押し当て、伸縮運動を行なう。この運動過程の中で、抵抗付与部品４０（本実施例は気圧棒４１の場合）によって、適当な抵抗力が生まれ、使用者の両足による押し当て、伸縮運動は、足を鍛える運動効果がある。なお、揺動可能ラック３０の揺れ動き側３２の揺れ動きには弾力のある復位機能がある。
【００２３】
なお、両手を横架部３３に押し当てる動作でもよい。この場合には、手を鍛える運動効果がある。
【００２４】
また、図７に示すように、背もたれ２０を後方に倒し、寝かした状態で、使用者が腹筋運動をしている間に、両手で前記揺動可能ラック３０の揺れ動き側３２にある横架部３３を持って、そこから補助力が生まれ、身を起すときに比較的に楽になる。
【００２５】
図６は、気圧棒４１の第二端４１２を中間の定位置部３５に連結してある座椅子Ａの構成の使用を示す。
【００２６】
座椅子Ａの背もたれ２０を後方へ倒し、寝かし、揺動可能ラック３０の揺れ動き側３２を上へ上がる角度状態に調整し、使用者が前記背もたれ２０と座体１０の上に仰向け姿勢となり、それから、両足を前記揺動可能ラック３０の揺れ動き側３２にある横架部３３の下側を通し横架部３３の阻害によって両足が持ち上がらないようにして腹筋運動する。この運動で、腹が引き締まる。
【実施例２】
【００２７】
図８及び図９は、本考案の実施例２になる運動機能付き座椅子の一部を示す。
【００２８】
前記の気圧棒４１に代えてスプリングピン装置５０が、座体１０の片側の内部に備えてある。
【００２９】
スプリングピン装置５０は、ケース座５１と、可動ピン５２と、スプリング５３と、トルクスプリング４２を有する。
【００３０】
可動ピン５２は、ケース座５１の外部に突出した突出ボタン部５４を有し、且つ、突出ボタン部５４の側に円柱部５５を有し、円柱部５５に続いて角柱部５６を有する。
【００３１】
揺動可能ラック３０の支持側３１には、角穴３１０が形成してある。
【００３２】
可動ピン５２の突出ボタン部５４の側が、角穴３１０を貫通している。
【００３３】
トルクスプリング４２は、揺動可能ラック３０とケース座５１との間に位置して、可動ピン５２に周囲に緩く嵌合してある。トルクスプリング４２の一端側は揺動可能ラック３０に連結してあり、トルクスプリング４２の他端側はスプリングピン装置５０のケース座５１に連結してある。
【００３４】
ケース座５１内のスプリング５３により、可動ピン５２は図８及び図９に示すようにケース座５１の外部に突き出ており、突出ボタン部５４が突き出ており、角柱部５６が角穴３１０と嵌合している。揺動可能ラック３０は図８に示す水平の位置に固定されている。
【００３５】
可動ピン５２を内側へ押し付けると、図１０に示すようになる。角柱部５６が角穴３１０から抜け出して、円柱部５５が角穴３１０に嵌合して、揺動可能ラック３０が揺れ動く状態になる。揺動可能ラック３０の揺れ動き側３２は、トルクスプリング４２のトルク作用により、所定の上がり角度へ揺れ動き、そこで、揺動可能ラック３０の揺れ動きに同じく弾力のある抵抗機能があり、前記の運動効果が得られる（図５、図６参照）。
【実施例３】
【００３６】
図１１は本考案の実施例３になる運動機能付き座椅子Ａを示す。
【００３７】
座体１０の両側に取っ手８０を増設してある。
【実施例４】
【００３８】
図１２は本考案の実施例４になる運動機能付き座椅子の一部を示す。
【００３９】
揺動可能ラック３０の揺れ動き側３２にある横架部３３には、定位置補助部品７０が設けてある。定位置補助部品７０は図示のように、オスマジックテープ（登録商標）７１とメスマジックテープ（登録商標）７２からなるものであり、使用者が足や手を横架部３３の上に置いたとき、前記オスマジックテープ（登録商標）７１とメスマジックテープ（登録商標）７２で締めると、足や手が離脱防止されて横架部３３上に固定される。
【００４０】
上記各実施例の「運動機能付き座椅子」は、前記座体の両側に二つの揺動可能ラックを増設し、抵抗付与部品に組み合わせて、前記揺動可能ラックの揺れ動きに弾力のある抵抗と復位機能を有するオリジナルな設計であり、背景技術に述べた従来の構造に比較すれば、揺動可能ラックに対して使用者の足や手を押し当てることによって、抵抗のある往復運動しながら押し当てられ、又は使用者の足への位置制限によって、腹筋運動が補助される、という運動機能を兼ね備えている。
【００４１】
上述の実施例に掲げたのは、本考案を具体的に説明するための内容であり、文中で専門用語で説明してきたが、それらによって本考案の請求の範囲を制限してはならず、この技術分野が分かる者は、本考案のコンセプトや考えなどを理解して、その改造や変更などを行って同等な目的を得た場合には、それらの改造や変更などはすべて後述の請求の範囲に含まれるものである。
【符号の説明】
【００４２】
Ａ  運動機能付き座椅子
１０  座体
１１  座受け部
１２  座面
２０  背もたれ
３０  揺動可能ラック
３１  支持側
３１０  角穴
３２  揺れ動き側
３３  横架部
３４、３５、３６  定位置孔
４０  抵抗付与部品
４１  気圧棒
４１１  第一端
４１２  第二端
４２  トルクスプリング
５０  スプリングピン装置
５１  ケース座
５２  可動ピン
５３  スプリング
５４  突出ボタン部
５５  円柱部
５６  角柱部
６０  エアバッグ体
７０  定位置補助部品
７１  オスマジックテープ（登録商標）
７２  メスマジックテープ（登録商標）
【図１】
0003150364.tif 000003
【図２】
0003150364.tif 000004
【図３】
0003150364.tif 000005
【図４】
0003150364.tif 000006
【図５】
0003150364.tif 000007
【図６】
0003150364.tif 000008
【図７】
0003150364.tif 000009
【図８】
0003150364.tif 000010
【図９】
0003150364.tif 000011
【図１０】
0003150364.tif 000012
【図１１】
0003150364.tif 000013
【図１２】
0003150364.tif 000014